(57)【要約】【課題】  ユーザの操作目的に応じた適切な機能項目を推奨して提示することにより、ユーザの操作目的に応じた適切な機能項目の選択を容易に行うことができる。【解決手段】  どの機能項目がユーザにより操作パネル１９を介して選択されたかによって、ユーザが目的としている操作目的をＣＰＵ１５で推定することが可能であり、推定した操作目的に対して適切な機能項目の提示が可能である。したがって、ユーザの操作目的に応じた適切な機能項目の選択を容易に行うことができる。【選択図】        図１
2006313454.tif 000002
【特許請求の範囲】
【請求項１】
メニュー機能を備えた表示装置において、
複数個の機能項目を含むメニューを表示する表示部と、
前記表示部に表示されているメニューから、ユーザが所望の機能項目を選択するための選択部と、
ユーザにより選択された機能項目に基づいて、ユーザが目的とする操作目的を推定操作目的として推定する推定部と、
前記推定操作目的を行うのに適切な機能項目を推奨機能項目として前記表示部に表示してユーザに提示する提示部と、
を備えていることを特徴とする表示装置。
【請求項２】
請求項１に記載の表示装置において、
前記推定部は、ベイズの定理を用いた推定機能を備え、
操作目的Ｈｒ（ｒ＝１〜ｎ）をｎ個に設定し、ユーザがある操作目的Ｈｒで各機能項目Ｄｓ（ｓ＝１〜ｍ）を操作する確率を示す事前確率Ｐ（Ｈｒ）を予め記憶する事前確率記憶部と、
いずれか一つの操作目的Ｈｒを選択した場合に一つの機能項目Ｄｓが生じるものと想定し、操作目的Ｈｒのために各機能項目Ｄｓが選択される条件付確率Ｐ（Ｄｓ｜Ｈｒ）と、事前確率Ｐ（Ｈｒ）とに基づいて、前記選択部を介してユーザが機能項目Ｄｓを選択するごとに事後確率Ｐ（Ｈｒ｜Ｄｓ）を算出する事後確率算出部と、
前記事後確率算出部が求めた事後確率Ｐ（Ｈｒ｜Ｄｓ）に基づいて、前記推定操作目的を決定する推定操作目的決定部と、
を備えていることを特徴とする表示装置。
【請求項３】
請求項２に記載の表示装置において、
前記推定操作目的決定部は、所定値を越えた事後確率Ｐ（Ｈｒ｜Ｄｓ）に対応する操作目的を前記推定操作目的として決定することを特徴とする表示装置。
【請求項４】
請求項１から３のいずれかに記載の表示装置において、
各操作目的に応じて適切な機能項目を予め記憶する推奨機能項目記憶部をさらに備え、
前記提示部は、前記推奨機能項目記憶部を参照して、前記推定操作目的に対応する操作目的に応じた機能項目を前記推奨機能項目として提示することを特徴とする表示装置。
【請求項５】
請求項４に記載の表示装置において、
前記推奨機能項目記憶部は、各操作目的に応じて適切な機能項目が複数個であって、その適切な使用順序がある場合には、機能項目の使用順序を予め記憶し、
前記提示部は、前記推奨機能項目記憶部を参照して、前記推定操作目的に対応する操作目的に応じた各機能項目を前記推奨機能項目としてその使用順序で順次に提示することを特徴とする表示装置。
【請求項６】
請求項１から５のいずれかに記載の表示装置において、
前記メニューは、複数個の機能項目を含む一つのメニュー階層を、前記機能項目に応じてさらに下層に有する複層メニューで構成され、
前記選択部で選択が行われて複層メニューを下層に向かう際には、現在選択されているメニュー階層よりも上層のメニュー階層を前記表示部に階層順で順次に表示し、前記選択部で選択が行われて複層メニューを上層に向かう際には、現在選択されているメニュー階層より下層のメニュー階層を前記表示部から階層順で順次に消去してゆく階層履歴表示部をさらに備えていることを特徴とする表示装置。
【請求項７】
請求項６に記載の表示装置において、
前記提示部は、前記推奨機能項目に対応する機能項目が含まれているメニュー階層が前記表示部に表示されている場合には、その機能項目の表示態様を変化させ、
前記推奨機能項目に対応する機能項目が含まれているメニュー階層が前記表示部に非表示である場合には、その機能項目が含まれているメニュー階層へ向かう、前記推奨機能項目とは異なる機能項目の表示態様を変化させることを特徴とする表示装置。
【請求項８】
メニュー機能を備えた表示装置において、
複数個の機能項目を含むメニューを表示する表示部と、
前記表示部に表示されているメニューから、ユーザが所望の機能項目を選択するための選択部と、
前記メニューは、複数個の機能項目を含む一つのメニュー階層を、前記機能項目に応じてさらに下層に有する複層メニューで構成され、
前記選択部で選択が行われて複層メニューを下層に向かう際には、現在選択されているメニュー階層よりも上層のメニュー階層を前記表示部に階層順で順次に表示し、前記選択部で選択が行われて複層メニューを上層に向かう際には、現在選択されているメニュー階層より下層のメニュー階層を前記表示部から階層順で順次に消去してゆく階層履歴表示部と、
を備えていることを特徴とする表示装置。
【請求項９】
請求項１から８のいずれかに記載の表示装置を、画像を表示するモニタに備えていることを特徴とする画像表示装置。
【請求項１０】
メニュー機能を備えたメニュー表示方法において、
複数個の機能項目を含むメニューのうちユーザにより選択された機能項目に基づいて、ユーザが目的とする操作目的を推定操作目的として推定する推定過程と、
前記推定操作目的を行うのに好適な機能項目を推奨機能項目として表示部に表示してユーザに提示する提示過程と、
を備えていることを特徴とするメニュー表示方法。
【請求項１１】
請求項１０に記載のメニュー表示方法において、
前記推定過程は、ベイズの定理を用いた推定を行い、
操作目的Ｈｒ（ｒ＝１〜ｎ）をｎ個に設定し、ユーザがある操作目的Ｈｒで各機能項目Ｄｓ（ｓ＝１〜ｍ）を操作する確率を示す事前確率Ｐ（Ｈｒ）を予め記憶しておき、この事前確率Ｐ（Ｈｒ）と、いずれか一つの操作目的Ｈｒを選択した場合に一つの機能項目Ｄｓが生じるものと想定し、操作目的Ｈｒのために各機能項目Ｄｓが選択される条件付確率Ｐ（Ｄｓ｜Ｈｒ）とに基づいて、ユーザが機能項目Ｄｓを選択するごとに事後確率Ｐ（Ｈｒ｜Ｄｓ）を算出する事後確率算出過程と、
前記事後確率Ｐ（Ｈｒ｜Ｄｓ）に基づいて前記推定操作目的を決定する推定操作目的決定過程と、
を備えていることを特徴とするメニュー表示方法。
【請求項１２】
請求項１１に記載のメニュー表示方法において、
前記推定操作目的決定過程は、所定値を越えた事後確率Ｐ（Ｈｒ｜Ｄｓ）に対応する操作目的を前記推定操作目的として決定することを特徴とするメニュー表示方法。
【請求項１３】
請求項１０から１２のいずれかに記載のメニュー表示方法において、
各操作目的に応じて適切な機能項目及びその適用順序を予め推奨機能項目記憶部に記憶しておき、
前記提示過程は、前記推奨機能項目記憶部を参照して、前記推定操作目的に対応する操作目的に応じた機能項目を前記推奨機能項目としてその適用順序で提示することを特徴とするメニュー表示方法。
【発明の詳細な説明】
【技術分野】
【０００１】
本発明は、種々の調整等を行うための機能項目を複数個備えたメニューを表示するための表示装置及びこれを備えた画像表示装置並びにメニュー表示方法に関する。
【背景技術】
【０００２】
従来、この種の装置として、表示装置を備えた画像表示装置がある（例えば、特許文献１参照）。この装置では、画像表示装置の表示に係る機能項目、例えば、コントラスト調整やブライトネス調整を、表示部の画面に表示された画像の上に重ね合わせて表示するＯＳＤ（On Screen Display）を利用したメニュー表示により表示させている。機能項目の選択は、キーなどの選択部をユーザが操作してメニュー表示を行わせるとともに、メニューの所望の機能項目を選択することにより画像表示装置の調整等を行い、ユーザが所望する操作を実行させるようになっている。
【特許文献１】特開２００３−７６３５０号公報
【発明の開示】
【発明が解決しようとする課題】
【０００３】
しかしながら、このような構成を有する従来例の場合には、次のような問題がある。
すなわち、従来の装置は、ユーザが選択部を操作してメニューを操作し、所望の機能項目が表示された時点でその機能項目を選択して設定を行っている。しかしながら、画像表示装置のメニューを構成している機能項目は、複雑な構成であり、しかもその名称からはユーザが所望する操作を直感的に理解できない場合もある。そのためユーザが所望する操作を、メニューの中から適切な機能項目を選択することにより実行させることが困難であるという問題がある。
【０００４】
上記の問題点により、ユーザが所望する操作に好適な機能項目がメニュー内に存在しているにもかかわらず、その機能項目が選択されなかったり、所望の操作を行わせるための機能項目を探すためにメニュー内を無駄に移動する操作をユーザが行う場合があったりするという別異の問題も抱えている。
【０００５】
本発明は、このような事情に鑑みてなされたものであって、ユーザの操作目的に応じた適切な機能項目を推奨して提示することにより、ユーザの操作目的に応じた適切な機能項目の選択を容易に行うことができる表示装置及びこれを備えた画像表示装置並びにメニュー表示方法を提供することを目的とする。
【課題を解決するための手段】
【０００６】
本発明は、このような目的を達成するために、次のような構成をとる。
すなわち、請求項1に記載の発明は、メニュー機能を備えた表示装置において、複数個の機能項目を含むメニューを表示する表示部と、前記表示部に表示されているメニューから、ユーザが所望の機能項目を選択するための選択部と、ユーザにより選択された機能項目に基づいて、ユーザが目的とする操作目的を推定操作目的として推定する推定部と、前記推定操作目的を行うのに適切な機能項目を推奨機能項目として前記表示部に表示してユーザに提示する提示部と、を備えていることを特徴とするものである。
【０００７】
［作用・効果］請求項1に記載の発明によれば、ユーザが選択部を介して選択したメニューの機能項目に基づいて、ユーザが行わせたいと考えて目的としている操作目的を推定部が推定操作目的として推定し、この推定操作目的を行うのに適切な機能項目を推奨機能項目として提示部が表示部に表示し、ユーザに対して提示を行う。どの機能項目がユーザにより選択されたかによって、ユーザが目的としている操作目的を推定することが可能であり、また操作目的に適切な機能項目は、メーカーが予め操作目的に適した機能項目との関連付けを行っておくことにより、推定した操作目的に対して適切な機能項目の提示が可能である。したがって、ユーザの操作目的に応じた適切な機能項目の選択を容易に行うことができる。
【０００８】
なお、上記の表示部とは、メニューを表示するための信号を出力する出力部を含む広い概念の構成である。例えば、液晶表示装置やＣＲＴなどのメニュー自体を直接に表示を行うものや、それらにメニューを表示するための信号を出力する出力部や信号コネクタなどが概念に含まれる。
【０００９】
また、本発明において、前記推定部は、ベイズの定理を用いた推定機能を備え、操作目的Ｈｒ（ｒ＝１〜ｎ）をｎ個に設定し、ユーザがある操作目的Ｈｒで各機能項目Ｄｓ（ｓ＝１〜ｍ）を操作する確率を示す事前確率Ｐ（Ｈｒ）を予め記憶する事前確率記憶部と、いずれか一つの操作目的Ｈｒを選択した場合に一つの機能項目Ｄｓが生じるものと想定し、操作目的Ｈｒのために各機能項目Ｄｓが選択される条件付確率Ｐ（Ｄｓ｜Ｈｒ）と、事前確率Ｐ（Ｈｒ）とに基づいて、前記選択部を介してユーザが機能項目Ｄｓを選択するごとに事後確率Ｐ（Ｈｒ｜Ｄｓ）を算出する事後確率算出部と、前記事後確率算出部が求めた事後確率Ｐ（Ｈｒ｜Ｄｓ）に基づいて、前記推定操作目的を決定する推定操作目的決定部と、を備えていることが好ましい（請求項２）。
【００１０】
一種の帰納的推論であるベイズの定理(Bayes' theorem)を用いた推定機能を推定部に備え、何々したい（例えば、画像の色を変えたい）という操作目的Ｈｒをｎ個に設定し、ユーザによってどの頻度で各操作目的Ｈｒのために各機能項目Ｄｓ（ｍ個）が利用されるかを示す事前確率Ｐ（Ｈｒ）を予め事前確率記憶部に記憶しておく。そして、選択部を介してユーザが機能項目Ｄｓを選択するごとに、条件付確率Ｐ（Ｄｓ｜Ｈｒ）と事前確率Ｐ（Ｈｒ）とに基づいて事後確率算出部が事後確率Ｐ（Ｈｒ｜Ｄｓ）を算出する。さらに、推定操作目的決定部が事後確率Ｐ（Ｈｒ｜Ｄｓ）に基づいて推定操作目的を決定する。なお、事後確率Ｐ（Ｈｒ｜Ｄｓ）は、機能項目Ｄｓを操作した結果として、ユーザの操作目的Ｈｒを達成する確率、換言すると、機能項目Ｄｓが操作された場合に、その意図が操作目的Ｈｒである確率である。このようにベイズの定理を用いた推定を行ってユーザが目的としている操作目的を推定することにより、たとえユーザがその機能項目の存在すら知らない場合であっても、その意図に適した機能項目を推奨機能項目として提示するので、装置に実装されていて有用な機能を備えている機能項目が使われずにメニュー内に埋もれてしまうことがなく、各機能項目が有益に利用されるようにできる。
【００１１】
また、本発明において、前記推定操作目的決定部は、所定値を越えた事後確率Ｐ（Ｈｒ｜Ｄｓ）に対応する操作目的を前記推定操作目的として決定することが好ましい（請求項３）。
【００１２】
ユーザが機能項目Ｄｓを選択するごとに求められる事後確率Ｐ（Ｈｒ｜Ｄｓ）が所定値、例えば、７０％を越えると、ユーザの操作目的がほぼ正確に分かるので、そのときの操作目的を推定操作目的として決定することにより、精度よく推奨機能項目をユーザに提示することができる。
【００１３】
また、本発明において、各操作目的に応じて適切な機能項目を予め記憶する推奨機能項目記憶部をさらに備え、前記提示部は、前記推奨機能項目記憶部を参照して、前記推定操作目的に対応する操作目的に応じた機能項目を前記推奨機能項目として提示することが好ましい（請求項４）。
【００１４】
メーカー側で予め操作目的を想定し、各操作目的に適切な機能項目を関連付けて予め推奨機能項目記憶部に記憶させておく。したがって、提示部は、推奨機能項目記憶部を参照することで、決定された推定操作目的に適切な推奨機能項目を提示することができる。
【００１５】
また、本発明において、前記推奨機能項目記憶部は、各操作目的に応じて適切な機能項目が複数個であって、その適切な使用順序がある場合には、機能項目の使用順序を予め記憶し、前記提示部は、前記推奨機能項目記憶部を参照して、前記推定操作目的に対応する操作目的に応じた各機能項目を前記推奨機能項目としてその使用順序で順次に提示することが好ましい（請求項５）。
【００１６】
操作目的によっては、複数個の機能項目をある順序で使用することが好ましい場合があるが、その場合には機能項目の使用順序も予め推奨機能項目記憶部に記憶させておくことにより、提示部がその使用順序も提示することができる。したがって、操作目的に応じて、より適切な機能項目の選択が可能となる。
【００１７】
また、本発明において、前記メニューは、複数個の機能項目を含む一つのメニュー階層を、前記機能項目に応じてさらに下層に有する複層メニューで構成され、前記選択部で選択が行われて複層メニューを下層に向かう際には、現在選択されているメニュー階層よりも上層のメニュー階層を前記表示部に階層順で順次に表示し、前記選択部で選択が行われて複層メニューを上層に向かう際には、現在選択されているメニュー階層より下層のメニュー階層を前記表示部から階層順で順次に消去してゆく階層履歴表示部をさらに備えていることが好ましい（請求項６）。
【００１８】
機能が豊富な場合には、複数個の機能項目で一つのメニュー階層を構成し、さらにその機能項目に応じてさらに下層にメニュー階層を有する複層メニューで構成する場合がある。このような複層メニューでは、ユーザが選択部を操作して複層メニューを下層（上層）に向かう際には、階層履歴表示部が現在選択されているメニュー階層よりも上層（下層）のメニュー階層を表示部に階層順で順次に表示（消去）する。これにより、現在のメニュー階層に至るまでの経緯を階層としてユーザが確認できるので、操作中にユーザに安心感を与えることができる。また、上層のメニュー階層に含まれている機能項目を参照することができ、所望の機能項目を選択する際の目安にもなり、適切な機能項目に至る可能性が高くなる。
【００１９】
また、本発明において、前記提示部は、前記推奨機能項目に対応する機能項目が含まれているメニュー階層が前記表示部に表示されている場合には、その機能項目の表示態様を変化させ、前記推奨機能項目に対応する機能項目が含まれているメニュー階層が前記表示部に非表示である場合には、その機能項目が含まれているメニュー階層へ向かう、前記推奨機能項目とは異なる機能項目の表示態様を変化させることが好ましい（請求項７）。
【００２０】
メニュー階層が表示部に表示され、その中に推奨機能項目に対応する機能項目が含まれている場合には、提示部がその機能項目の表示態様を変化させることにより、推奨機能項目をユーザに知らせることができる。表示態様の変化としては、機能項目を示すアイコンの本体の輝度を加減して点滅させたり、アイコンの背景の色を変えたりすることが例示される。そして、表示部に表示されているメニュー階層に推奨機能項目が含まれていない場合には、推奨機能項目ではなくても、推奨機能項目が含まれているメニュー階層に至る機能項目の表示態様を変化させてユーザに知らせる。これにより、推奨機能項目が含まれているメニュー階層にユーザを導くことができる。
【００２１】
また、本発明は、メニュー機能を備えた表示装置において、複数個の機能項目を含むメニューを表示する表示部と、前記表示部に表示されているメニューから、ユーザが所望の機能項目を選択するための選択部と、前記メニューは、複数個の機能項目を含む一つのメニュー階層を、前記機能項目に応じてさらに下層に有する複層メニューで構成され、前記選択部で選択が行われて複層メニューを下層に向かう際には、現在選択されているメニュー階層よりも上層のメニュー階層を前記表示部に階層順で順次に表示し、前記選択部で選択が行われて複層メニューを上層に向かう際には、現在選択されているメニュー階層より下層のメニュー階層を前記表示部から階層順で順次に消去してゆく階層履歴表示部と、を備えていることを特徴とするものである。
【００２２】
［作用・効果］本発明によれば、ユーザが選択部を操作して複層メニューを下層（上層）に向かう際には、階層履歴表示部が現在選択されているメニュー階層よりも上層（下層）のメニュー階層を表示部に階層順で順次に表示（消去）する。これにより、現在のメニュー階層に至るまでの経緯を階層としてユーザが確認できるので、機能が豊富で複層メニューで構成されたメニューであっても、操作中にユーザに安心感を与えることができる。また、上層のメニュー階層に含まれている機能項目を参照することができ、所望の操作目的のためにユーザが必要と考える機能項目を選択する際の目安にもなり、その機能項目に至る可能性が高くなる。
【００２３】
また、本発明において、表示装置を、画像を表示するモニタに備えていることを特徴とする画像表示装置（請求項９）。
【００２４】
画像を表示するモニタに表示装置を備えていることにより、請求項１に記載の発明の効果を画像表示装置で奏することができる。
【００２５】
また、本方法発明は、メニュー機能を備えたメニュー表示方法において、複数個の機能項目を含むメニューのうちユーザにより選択された機能項目に基づいて、ユーザが目的とする操作目的を推定操作目的として推定する推定過程と、前記推定操作目的を行うのに好適な機能項目を推奨機能項目として表示部に表示してユーザに提示する提示過程と、を備えていることを特徴とするものである（請求項１０）。
【００２６】
［作用・効果］本方法発明によれば、ユーザが選択部を介して選択したメニューの機能項目に基づいて、ユーザが行わせたいと考えて目的としている操作目的を推定操作目的として推定し（推定過程）、この推定操作目的を行うのに適切な機能項目を推奨機能項目として表示部に表示し、ユーザに対して提示を行う（提示過程）。どの機能項目がユーザにより選択されたかにより、ユーザが目的としている操作目的を推定することが可能であり、また操作目的に適切な機能項目は、メーカーが予め操作目的に適した機能項目との関連付けを行っておくことにより、推定した操作目的に対して適切な機能項目の提示は可能である。したがって、本メニュー表示方法により、ユーザの操作目的に応じた適切な機能項目の選択を容易に行うことができる。
【００２７】
また、本方法発明において、前記推定過程は、ベイズの定理を用いた推定を行い、操作目的Ｈｒ（ｒ＝１〜ｎ）をｎ個に設定し、ユーザがある操作目的Ｈｒで各機能項目Ｄｓ（ｓ＝１〜ｍ）を操作する確率を示す事前確率Ｐ（Ｈｒ）を予め記憶しておき、この事前確率Ｐ（Ｈｒ）と、いずれか一つの操作目的Ｈｒを選択した場合に一つの機能項目Ｄｓが生じるものと想定し、操作目的Ｈｒのために各機能項目Ｄｓが選択される条件付確率Ｐ（Ｄｓ｜Ｈｒ）とに基づいて、ユーザが機能項目Ｄｓを選択するごとに事後確率Ｐ（Ｈｒ｜Ｄｓ）を算出する事後確率算出過程と、前記事後確率Ｐ（Ｈｒ｜Ｄｓ）に基づいて前記推定操作目的を決定する推定操作目的決定過程と、を備えていることが好ましい（請求項１１）。
【００２８】
また、本方法発明において、前記推定操作目的決定過程は、所定値を越えた事後確率Ｐ（Ｈｒ｜Ｄｓ）に対応する操作目的を前記推定操作目的として決定することが好ましい（請求項１２）。
【００２９】
また、本方法発明において、各操作目的に応じて適切な機能項目及びその適用順序を予め推奨機能項目記憶部に記憶しておき、前記提示過程は、前記推奨機能項目記憶部を参照して、前記推定操作目的に対応する操作目的に応じた機能項目を前記推奨機能項目としてその適用順序で提示することが好ましい（請求項１３）。
【発明の効果】
【００３０】
本発明に係る表示装置によれば、どの機能項目がユーザにより選択されたかによって、ユーザが目的としている操作目的を推定することが可能であり、また操作目的に適切な機能項目は、メーカーが予め操作目的に適した機能項目との関連付けを行っておくことにより、推定した操作目的に対して適切な機能項目の提示が可能である。したがって、ユーザの操作目的に応じた適切な機能項目の選択を容易に行うことができる。
【発明を実施するための最良の形態】
【００３１】
以下、図面を参照して本発明の一実施例について説明する。
図１は、実施例に係る画像表示装置の概略構成を示すブロック図であり、図２は、画像表示装置の外観を示す正面図であり、図３は、画像表示装置の一部を拡大した模式図である。
【００３２】
この画像表示装置１は、本発明における表示部としての液晶表示装置３を備え、コンピュータのグラフィック・アダプタなどのホスト５から出力される信号ｓｇ１に基づく画像を表示する。ホスト５からの信号ｓｇ１がアナログの場合には、画像表示装置１のアナログ用コネクタ７に信号ｓｇ１が入力されるように図示しないケーブルが接続され、ホスト５からの信号ｓｇ１がデジタルの場合には、画像表示装置１のデジタル用コネクタ９に信号ｓｇ１が入力されるように図示しないケーブルが接続される。
【００３３】
なお、上記表示部として液晶表示装置３に代えてＣＲＴ、プラズマ表示装置、有機ＥＬ表示装置などを備えてもよい。
【００３４】
アナログ用コネクタ７に入力されたアナログの信号ｓｇ１は、ＡＤコンバータ１１でデジタルの信号ｓｇ２に変換され、複数の信号を合成して出力する合成器１３に与えられる。デジタルの信号ｓｇ１は、そのまま合成器１３に信号ｓｇ２として与えられる。ＡＤコンバータ１１は、そのサンプリング等の制御がＣＰＵ１５で行われる。
【００３５】
合成器１３には、上記の信号ｓｇ２の他に、メニュー表示に係る信号ｓｇ３がＯＳＤ制御部１７から与えられる。この信号ｓｇ３を上記ｓｇ２に重ね合わせて液晶表示装置３に出力する合成と、信号ｓｇ２だけを単独で液晶表示装置３に出力する非合成とは、ＣＰＵ１５からの切替信号ｓｇ４に応じて切り替えられる。切替信号ｓｇ４が合成である場合には、合成器１３は信号ｓｇ２の上に信号ｓｇ３を重ね合わせて合成信号ｓｇ５として出力する。ＣＰＵ１５への切替の指示は、画像表示装置１の前面下部に配設されている操作パネル１９によって行われる。
【００３６】
ＯＳＤ制御部１７は、後述するように主としてメニューに係る制御を行う機能を備え、ＣＰＵ１５との間でデータの受け渡しを行う。ＯＳＤ制御部１７によるメニューの表示は、例えば、図３に示すように、液晶表示装置３に表示されている画像Ｆに重ね合わせるようにメニューＭが表示されるように行われる。ＣＰＵ１５に接続されたメモリ２１は、後述する事前確率や推奨機能項目などの各種データが予め格納されている。このメモリ２１は、後述する事後確率を求める際に中間データや求めた事後確率などを保存するワークエリアとしても利用される。
【００３７】
なお、メモリ２１は、本発明における事前確率記憶部と推奨機能項目記憶部に相当する。
【００３８】
次に、図４を参照し、メニューＭの一例について説明する。なお、図４は、メニューの概略構成を示す模式図である。
【００３９】
メニューＭは、複数の機能項目を含むものであり、かつ複数の機能項目が一つのメニュー階層に含まれ、そのメニュー階層を機能項目に応じてさらに下層に備えている複層メニューで構成されている。ここでは、最上層をメニュー階層Ｍ１、その下層をメニュー階層Ｍ２、さらに下層をメニュー階層Ｍ３、最下層をメニューＭ４とする、４層のメニューＭを備えているものとして説明するが、階層を３層以内または５層以上の構成としてもよい。ＯＳＤ制御部１７は、メニューＭが表示され、ユーザにより操作パネル１９を介して所望の機能項目が順次選択され、複層メニューを下層へと向かってゆく場合、現在選択されているメニュー階層よりも上層のメニュー階層を液晶表示装置３に階層順で順次に表示し、複層メニューを上層に向かってゆく場合、現在選択されているメニュー階層より下層のメニュー階層を液晶表示装置３から階層順で順次に消去してゆくように表示の制御を行う。図３は、メニューＭのうち最下層のメニューＭ４が選択された状態であり、上述したように、その上層のメニューＭ１〜Ｍ３がメニューＭ４の上部に階層的に履歴表示されている（詳細後述）。
【００４０】
このように階層履歴表示を行うことにより、現在のメニュー階層に至るまでの経緯を階層としてユーザが確認できるので、機能が豊富で複層メニューで構成されたメニューであっても、現在の選択している機能項目とその他のものとの位置関係が極めてわかりやすく、操作中にユーザに安心感を与えることができる。また、上層のメニュー階層に含まれている機能項目を参照することができ、所望の操作目的のためにユーザが必要と考える機能項目を選択する際の目安にもなり、その機能項目に至る可能性が高くなる。
【００４１】
なお、上述したＯＳＤ制御部１７が本発明における階層履歴表示部に相当する。また、操作ボタン１９ａ〜１９ｈが本発明における選択部に相当する。
【００４２】
一つのメニュー階層Ｍ１には、複数の機能項目が含まれているが、その表示は、操作パネル１９に横一列に配設された複数個の操作ボタン１９ａ〜１９ｈに一対一に対応するようにされる。このメニューＭは、例えば、メニュー階層Ｍ１に、機能項目として入力切替、ファインコントラストメニュー、コントラストダウン、コントラストアップ、ブライトネスダウン、ブライトネスアップ、リターン、電源を備えている。入力切替は、画像表示装置１に複数のホストからの信号が入力されている場合に、その信号を切り替える。ファインコントラストメニューは、アプリケーションごとに適切な表示条件を切り替える機能である。コントラストダウンはコントラストを下げ、コントラストアップはコントラストを上げる機能である。ブライトネスダウンは明るさを下げ、ブライトネスアップは明るさを上げる機能である。リターンは、現在のメニュー階層より一つ上のメニュー階層に戻す機能であり、この場合にはメニューＭ１からの抜け出す、つまりメニューＭの表示をしない状態に戻る機能である。電源は、画像表示装置１の電源をオン／オフする機能である。
【００４３】
上記のメニューＭでは、例えば、機能項目としてファインコントラストメニューに対応する操作ボタン１９ｂを操作すると、次の階層であるメニュー階層Ｍ２へ移動し、メニュー階層Ｍ２が表示される。次に、このメニュー階層Ｍ２が表示された状態で、機能項目としてカラーメニューに対応する操作ボタン１９ａを操作すると、次のメニュー階層Ｍ３へ移動し、ここで機能項目としてゲインに対応する操作ボタン１９ａを操作すると、次のメニュー階層Ｍ４へ移動する。下層への移行がない機能項目、この場合にはメニュー階層Ｍ４の「赤ゲインダウン」の機能項目を選択すると、赤色のゲインが下げられるという機能がＣＰＵ１５によって実行される。
【００４４】
なお、この例では、メニューＭが表示されていない状態でいずれかの操作ボタン１９ａ〜１９ｈが操作された場合に、上述したメニュー階層Ｍ１が表示されるものとする。但し、各操作ボタン１９ａ〜１９ｈをメニュー階層Ｍ１の各機能項目に対応させ、メニューＭが表示されていない状態で各操作ボタン１９ａ〜１９ｈを操作すると、メニュー階層Ｍ１が表示されるとともに、その機能項目が実行されるように構成してもよい。また、メニュー階層Ｍ１を省略して、次のメニュー階層Ｍ２から表示させるようにしてもよい。
【００４５】
ＣＰＵ１５は、操作パネル１９を介してユーザにより選択された機能項目を認識し、各機能項目に基づいて、ユーザが操作したいとする操作目的を推定操作目的として「推定」する。そして、各操作目的に応じて適切な機能項目を対応付けて予め記憶してあるメモリ２１を参照し、その推定操作目的の操作目的に適切な機能項目を選択する。この機能項目を推奨機能項目として液晶表示装置３に表示する。
【００４６】
なお、ＣＰＵ１５が本発明における推定部及び提示部並びに推定操作目的決定部に相当する。
【００４７】
ＣＰＵ１５の具体的な推定は、例えば、次のようにして行われる。
推定の手法には、一種の帰納的推論であるベイズの定理(Bayes' theorem)を用いるのが好ましい。例えば、ユーザが所望する操作目的Ｈｒをｎ個に設定し、ユーザによってどの頻度で各操作目的Ｈｒのために各機能項目Ｄｓ（ｍ個）が利用されるかを示す事前確率Ｐ（Ｈｒ）を予め収集してメモリ２１に記憶しておく。そして、ユーザが操作パネル１９を介して機能項目Ｄｓを選択するごとに、条件付確率Ｐ（Ｄｓ｜Ｈｒ）と事前確率Ｐ（Ｈｒ）とに基づいてＣＰＵ１５が事後確率Ｐ（Ｈｒ｜Ｄｓ）を算出する。
【００４８】
事後確率Ｐ（Ｈｒ｜Ｄｓ）は、例えば、次の式によって演算で求める。
Ｐ（Ｈｒ｜Ｄｓ）＝Ｐ（Ｈｒ）・Ｐ（Ｄｓ｜Ｈｒ）／［ΣＰ（Ｈｉ）・Ｐ（Ｄｉ｜Ｈｉ）］
【００４９】
ここで理解を容易にするために、操作目的Ｈ１を「複数台の画像表示装置の画面の色合わせ」とし、操作目的Ｈ２を「低解像度の画面を最適表示する」とし、操作目的Ｈ３を「画像表示装置の画面の色味を調整する」と仮定して説明するが、実際には、さらに多くの操作目的を設定する。図５は、事前確率の例を示すものであるが、これは、任意に抽出したユーザを対象に、各操作目的に応じて実際に操作をさせた場合に事前確率の変化を示したものである。ここにおける機能項目の左に付した番号は、ユーザが選択した順序を示し、２番目以降は各機能項目に続いて選択される確率を示している。この事前確率は、例えば、操作目的Ｈ３のように、ユーザが色味を変えたいときには、色の濃さや色合いの機能項目が選択される確率が高いことを示している。このような事前確率を予めメモリ２１に格納しておき、上述した数式を用いて、ユーザが機能項目を選択するごとに、その機能項目から逆にユーザが何をしようと意図しているかを推定するのである。換言すると、ユーザによる操作がある操作目的（仮説）であるとしたときの正しさに対する事前確率と、その操作目的の下で機能項目が選択される条件付確率とから、逆にある機能項目が選択された下で操作目的（仮説）の正しさを確率的に求める。
【００５０】
上述した操作目的Ｈ１〜Ｈ３についての事前確率Ｐ（Ｈ１）〜Ｐ（Ｈ３）と、各操作目的Ｈ１〜Ｈ３のいずれかを行う場合に機能項目が選択される条件付確率Ｐ（Ｄｓ｜Ｈｒ）と、上述した数式とを用いて機能項目が選択されるごとに各操作目的について事後確率Ｐ（Ｈｒ｜Ｄｓ）を求めた例が図６である。そして、その数値の遷移を示すのが図７のグラフである。このグラフでは、８回目の機能項目の選択後において、操作目的Ｈ３の事後確率がかなり高く、操作目的Ｈ１とＨ２の事後確率はかなり低くなっていることがわかる。これは、操作目的Ｈ３の事後確率が非常に高く、かつ他の操作目的Ｈ１，Ｈ２の事後確率に対して大きな差異があることを鑑みると、ユーザが選択した各機能項目の遷移から、ユーザが意図している操作の目的は、操作目的Ｈ３の「画像表示装置の色味を調整する」であると推定することができる。この例から、事後確率が６５％を越えるときにその事後確率の操作目的が推定操作目的であるとすると、ユーザの意図が一致すると考えられる。なお、好ましくは、事後確率が７０％を越える場合、さらに好ましくは９０％を越える場合に、その操作目的を推定操作目的として決定する。
【００５１】
なお、ＣＰＵ１５が本発明における事後確率算出部に相当し、液晶表示装置３と、ＣＰＵ１５と、選択部１９ａ〜１９ｈと、メモリ２１とが本発明の表示装置に相当する。
【００５２】
次に、図８及び図９を参照して上述した画像表示装置１における動作について説明する。なお、図８はメニュー表示に係る動作の流れを示すフローチャートであり、図８及び図９の（ａ）〜（ｃ）はメニューの選択動作の説明に供する模式図である。但し、動作は、ユーザが画像表示装置１の操作ボタン１９ａ〜１９ｈのいずれかが操作され、メニューＭ１が表示されている状態で（図９（ａ））、操作ボタン１９ａ〜１９ｈが操作されるのを検出する処理以降についてのみ示す。
【００５３】
ステップＳ１
操作ボタン１９ａ〜１９ｈが操作されるまで本ステップＳ１を繰り返し実行する。つまり、いずれかの機能項目が選択されるまで本ステップＳ１を繰り返す。ここで、例えばファインコントラストメニューの機能項目に対応する操作ボタン１９ｂが操作されたものとする。ＯＳＤ制御部１７は、ファインコントラストメニューの機能項目に対応するメニュー階層Ｍ２を液晶表示装置３に表示する（図９（ｂ））。このとき、最上層のメニュー階層Ｍ１が上に押し上げられるように移動し、メニュー階層Ｍ１が表示されていた位置にメニュー階層Ｍ２が表示される。
【００５４】
ステップＳ２
ＣＰＵ１５は、上述したようにして操作目的Ｈｒごとに事後確率Ｐ（Ｈｒ｜Ｄｓ）を求める。
【００５５】
なお、このステップＳ２は、本発明における推定過程及び事後確率算出過程に相当する。
【００５６】
ステップＳ３
その結果と所定値、例えば、７０％と各事後確率とを比較し、これ以上のものがあるか否かを判断する。その結果、所定値以上のものがなければ、ステップＳ１に戻り、次の機能項目が選択されるまで待つ。その一方、所定値以上のものがあった場合には、ステップＳ４に移行する。上述した図７のグラフや発明者の種々の実験により、閾値である所定値を７０％とすることにより、ユーザの操作目的がほぼ正確に分かるという結果が得られているので、そのときの操作目的を推定操作目的として決定することにより、精度よく推奨機能項目をユーザに提示することができる。
【００５７】
なお、このステップＳ３は、本発明における推定過程に相当する。
【００５８】
ステップＳ４
ＣＰＵ１５は、所定値を越える複数個の事後確率があった場合には、その中で最も確率が高いものに対応する操作目的を推定操作目的とする。所定値を越える事後確率が一つだけであった場合には、その事後確率に対応する操作目的を推定操作目的とする。
【００５９】
なお、このステップＳ４は、本発明における推定操作目的決定過程及び提示過程に相当する。
【００６０】
ステップＳ５
ＣＰＵ１５は、メモリ２１を参照し、推定操作目的に適した機能項目を決定し、それを推奨機能項目として提示する。
【００６１】
なお、このステップＳ５は、本発明における提示過程に相当する。
【００６２】
推奨機能項目の具体的な提示例を図９（ｃ）を参照して説明する。
図９（ｂ）の状態で操作ボタン１９ａが操作され、機能項目としてカラーメニューが選択されたものとする。このとき、液晶表示装置３には、図９（ｃ）のようにメニューＭが表示され、推奨機能項目が「色合いダウン」であったとする。この場合には、ＣＰＵ１５は、ＯＳＤ制御部１７を制御し、色合いダウンの機能項目が表示されている領域のうち、背景の輝度を明暗に変化させたり、機能項目名称またはそのアイコンの輝度を明暗に変化させたり、あるいは色合いを変化させる。または、機能項目のアイコンを変形させる等が挙げられるが、ユーザの注意を引きつけるための態様変化であればその他の提示を行うようにしてもよい。
【００６３】
なお、このステップＳ５が本発明における提示過程に相当する。
【００６４】
上述した各ステップＳ１〜Ｓ５を繰り返し実行することにより、メニューの推奨提示という動作が実行される。
【００６５】
このように、どの機能項目がユーザにより選択されたかによって、ユーザが目的としている操作目的をＣＰＵ１５で推定することが可能であり、推定した操作目的に対して適切な機能項目の提示が可能である。したがって、ユーザの操作目的に応じた適切な機能項目の選択を容易に行うことができる。また、ベイズの定理を用いた推定を行ってユーザが目的としている操作目的を推定することにより、たとえユーザがその機能項目の存在すら知らない場合であっても、その意図に適した機能項目を推奨機能項目として提示するので、実装されていて有用な機能を備えている機能項目が使われずにメニュー内に埋もれてしまうことがなく、各機能項目が有益に利用されるようにできる。
【００６６】
また、上述したステップＳ５における提示は、推奨機能項目が液晶表示装置３に表示されているメニュー階層Ｍ３に含まれている場合であった。ここで、推奨機能項目が液晶表示装置３に表示されていないメニュー階層Ｍ４に含まれているものであった場合の提示手法について図１０を参照して説明する。なお、図１０（ａ）〜（ｃ）は、メニューの選択動作の説明に供する模式図である。
【００６７】
まず、図１０（ａ）のように液晶表示装置３にメニュー階層Ｍ１，Ｍ２が表示された状態で推奨機能項目が決定し、それがメニュー階層Ｍ４の「赤ゲインアップ」であったものとする。この場合には、そのメニュー階層Ｍ４へ向かう、推奨機能項目「赤ゲインアップ」とは異なる機能項目「カラーメニュー」をまず提示する（図１０（ａ））。
【００６８】
そして、機能項目「カラーメニュー」に対応する操作ボタン１９ａが操作され、メニュー階層Ｍ３が表示されたら、推奨機能項目「赤ゲインアップ」を含むメニュー階層Ｍ４に向かう機能項目「ゲイン」を提示する（図１０（ｂ））。そして、機能項目「ゲイン」に対応する操作ボタン１９ａが操作され、メニュー階層Ｍ４が表示されたときに、本来の推奨機能項目「赤ゲインアップ」を推奨する提示を行う（図１０（ｃ））。
【００６９】
このように表示されているメニュー階層に推奨機能項目が含まれていない場合であっても、推奨機能項目が含まれているメニュー階層に至る機能項目の表示態様を変化させてユーザに知らせることにより、ユーザを推奨機能項目が含まれているメニュー階層に導くことができる。
【００７０】
本発明は、上記実施形態に限られることはなく、下記のように変形実施することができる。
【００７１】
（１）上述した実施例では、本発明に係る表示装置を備えた画像表示装置を例に採って説明したが、表示部にメニューを表示してユーザが選択部を介して所望の機能項目を選択する装置であれば、本表示装置を種々の装置に適用することができる。例えば、携帯電話、ＰＤＡ(Personal Digital Assistant)、コンピュータのＯＳ(Operating System)、コンピュータのアプリケーションプログラム、デジタルカメラ、シリコンオーディオ等のオーディオ装置、カーナビゲーションシステム、電子レンジ、テレビ、ハードディスクレコーダやＤＶＤレコーダなどの画像録画装置などが挙げられる。
【００７２】
（２）実施例のような複層メニューであっても、各メニュー階層の履歴を表示し、推奨の機能項目の表示態様を変化させて提示するのではなく、例えば、推奨機能項目が含まれている階層番号と推奨機能項目の名称を直接的に表示するように提示してもよい。
【００７３】
（３）実施例では、複層メニューを階層履歴表示させるようにしているが、選択されているメニュー階層だけを表示させるようにしてもよい。
【００７４】
（４）メモリ２１（推奨機能項目記憶部）には、メーカが予め各操作目的に応じて適切な推奨機能項目を対応付けたデータを記憶するようにしたが、操作目的のために複数の機能項目を所定の順序で実行するのが好ましい場合がある。このような場合には、操作目的に応じた適切な機能項目を全て対応付け、その使用順序も対応付けて記憶するのが好ましい。そして、推奨機能項目が決定された場合、その使用順序に応じて推奨機能項目を順次に提示したり、各推奨機能項目（とメニュー階層）及び使用順序を一括して提示したりする。
【００７５】
（５）上記の実施例では、推定手法としてベイズの定理を用いた推定機能を挙げているが、この他の推定機能を採用して推奨機能項目を決定するようにしてもよい。
【００７６】
（６）実施例では、選択部として複数個の操作ボタン１９ａ〜１９ｈを採用しているが、例えば、方向を選択するボタンと、決定ボタンとを備える構成としてもよい。
【００７７】
（７）実施例では、メニューＭの階層履歴表示として液晶表示装置３の下部を主として利用しているが、例えば、その全面を利用し、図４に示すようなメニューＭの全体をその位置関係のままで履歴表示するようにしてもよい。つまり、この場合には、メニュー階層を移動するごとに、上から下に選択したメニュー階層が表示されることになる。これにより、メニューＭの階層構成のまま選択を行うことができ、メニューＭの全体を意識して操作を行うことができる。
【００７８】
（８）実施例では、表示部として液晶表示装置を備えた画像表示装置を例に採って説明しているが、本発明における表示部としては、例えば、液晶表示装置やＣＲＴなどのメニュー自体を直接表示するものに対して、メニューを表示するための信号を出力する出力部や信号コネクタなどが概念に含まれる。具体的に例示すると、メニュー機能を備えたビデオデッキ（表示装置）と、その出力部（表示部）からメニュー表示の信号を出力するコネクタに接続された、ビデオデッキとは別体のテレビとが上述した実施例装置を構成する。
【図面の簡単な説明】
【００７９】
【図１】実施例に係る画像表示装置の概略構成を示すブロック図である。
【図２】画像表示装置の外観を示す正面図である。
【図３】画像表示装置の一部を拡大した模式図である。
【図４】メニューの概略構成を示す模式図である。
【図５】事前確率の例を示す模式図である。
【図６】事後確率の例を示す模式図である。
【図７】事後確率の遷移を示すグラフである。
【図８】メニュー表示に係る動作の流れを示すフローチャートである。
【図９】（ａ）〜（ｃ）は、メニューの選択動作の説明に供する模式図である。
【図１０】（ａ）〜（ｃ）は、メニューの選択動作の説明に供する模式図である。
【符号の説明】
【００８０】
３  …  液晶表示装置（表示部）
１３  …  合成器
１５  …  ＣＰＵ（推定部、提示部、事後確率算出部、推定操作目的決定部）
１７  …  ＯＳＤ制御部（階層履歴表示部）
１９  …  操作パネル
１９ａ〜１９ｈ  …  操作ボタン（選択部）
２１  …  メモリ（事前確率記憶部、推奨機能項目記憶部）
Ｍ  …  メニュー
Ｍ１〜Ｍ４  …  メニュー階層
Ｄｓ  …  機能項目
Ｈｒ  …  操作目的
【図１】
2006313454.tif 000003
【図２】
2006313454.tif 000004
【図３】
2006313454.tif 000005
【図４】
2006313454.tif 000006
【図５】
2006313454.tif 000007
【図６】
2006313454.tif 000008
【図７】
2006313454.tif 000009
【図８】
2006313454.tif 000010
【図９】
2006313454.tif 000011
【図１０】
2006313454.tif 000012